(57)【要約】【課題】  従来の仏間用扉においては、仏間の内部でスライドさせる戸板を設ける必要があり、しかも仏間用扉を支持してスライドさせるため、ある程度の幅が必要となる。このため、仏間用扉を収納する際に、仏間用扉と戸板を合わせた奥行きがなければならず、奥行きの短い仏間では採用できない欠点があった。【解決手段】  仏間の側壁に沿って収納する観音開き扉を支持する装置において、平行リンク機構により水平方向に平行移動する２つの部材の一方を仏間内に固定する固定部材とすると共に、該扉を蝶番を介して取り付ける他方を滑動可能に支持した扉取付部材とすることにより、該扉を仏間の側壁に沿って移動させる。【選択図】        図４
2009102827.tif 000002
【特許請求の範囲】
【請求項１】
仏間の側壁に沿って収納する観音開き扉を支持する装置において、平行リンク機構により水平方向に平行移動する２つの部材の一方を仏間内に固定する固定部材とすると共に、該扉を蝶番を介して取り付ける他方を滑動可能に支持した扉取付部材とすることにより、該扉を仏間の側壁に沿って移動させることを特徴とする仏間の扉構造。
【請求項２】
平行リンク機構は、固定部材と扉取付部材に、中心部を可回転に連結した２本の同じ長さの連結桿を、上下の一方側を可回転に他方側を上下方向に摺動可能に連結した請求項１記載の仏間の扉構造。
【請求項３】
固定部材は伸縮構造として上下端部に固定部を設け、扉取付部材は下端部に車輪を設けた請求項１記載の仏間の扉構造。
【請求項４】
扉取付部材は、固定部材側方向に滑車と錘で付勢した請求項１記載の仏間の扉構造。
【発明の詳細な説明】
【技術分野】
【０００１】
本発明は、仏間の両側壁に沿って収納する観音開き扉の支持構造の改良に関するものである。
【背景技術】
【０００２】
従来より、仏壇を安置するための仏間には、観音開きの襖が設けられており、開いた後は仏間の側壁に沿ってそれぞれ収納できるようにしているのが一般的である。このような扉構造は、仏間の側壁に沿って平行移動させることと、引き出した位置で蝶番によって開閉できるようにすることが基本的要件である。
【０００３】
このような仏間用扉としては、仏間の側壁に沿って移動する戸板を設け、この戸板に蝶番を介して仏間用扉を設けたものがある。戸板は、仏間の側壁の上下部分に設置したレールに滑動可能に設けることによってスライド可能に支持されている。
【発明の開示】
【発明が解決しようとする課題】
【０００４】
しかしながら、従来の仏間用扉においては、仏間の高さに応じた戸板を製作しなければならず、手間がかかる故にコストに反映されてしまう問題を有していた。また、戸板は仏間用扉を支持してスライドさせるため、ある程度の幅が必要となる。このため、仏間用扉を収納する際に、仏間用扉と戸板を合わせた奥行きがなければならず、奥行きの短い仏間では採用できない欠点があった。
【０００５】
しかも、収納可能とした観音開き扉の基本的な問題として、平行移動する部材の片側に蝶番を介して扉を設けなければならないことから、戸板等の扉支持部の剛性を確保しにくい点がある。このことは、扉の大きさや重さに大きく起因するが、仏間用扉を支持して平行移動させる部材の取付構造が影響することも多い。
【０００６】
従って、戸板の幅を極力広くするなど、仏間用扉を支持するための移動フレームを襖側に傾きにくくしなければならないが、上述した欠点をさらに助長する結果となる。しかも、初期の段階ではスムーズに作動しても、経年的に各部のガタつきや摩耗によってどうしても襖側に傾きやすくなり、操作がスムーズに行えなくなる。このことは、扉が勝手に開いたり、扉が閉まらなかったりする開閉操作に影響を及ぼす他、仏間の下框や床面を傷つけることに繋がる。
【課題を解決するための手段】
【０００７】
そこで本発明者は上記課題に鑑み鋭意研究した結果、本発明を成し得たものであり、その特徴とするところは、仏間の側壁に沿って収納する観音開き扉を支持する装置において、平行リンク機構により水平方向に平行移動する２つの部材の一方を仏間内に固定する固定部材とすると共に、該扉を蝶番を介して取り付ける他方を滑動可能に支持した扉取付部材とすることにより、該扉を仏間の側壁に沿って移動させることにある。
【０００８】
本明細書中でいう平行リンク機構とは、相対するリンクが常に平行な状態で移動できるように連結桿で連結した機構をいう。本発明においては、相対するリンクが回動を伴うことなく直線的に平行移動する機構により、一方のリンクを固定して他方のリンクに蝶番を介して扉を設けることで、収納可能な観音開き構造とする。
【０００９】
固定するリンクである固定部材の固定手段は、特に限定するものではない。例えば、固定部材を伸縮構造とし、上下端部に設けた固定部を釘やスクリューねじなどで固定し、仏間の床面と天面に突っ張るように設ける。移動させるリンクとしての扉取付部材は、下端部に滑車などの滑動体を設けることにより、仏間の床面や床面に設けたレールで支持する。
【００１０】
また、固定部材の固定部としては、仏間の側壁に貼り付けて固定する構造としてもよい。この場合、固定部にレールを設けて、扉取付部材を摺動可能に支持することにより、扉取付部材の支持剛性を高めることができるし、扉取付部材のレールを設けた平行移動機構として一体化することができる。
【００１１】
本発明においては、平行移動する扉取付部材の片側に扉を設けるため、これをバランスさせるものとして、該扉取付部材の上部側を固定部材側に錘によって付勢させておくようにしてもよい。錘で引っ張ることにより、収納位置に保持させることも可能となる。錘の重さは特に限定するものではなく、扉取付部材を僅かに固定部材側に付勢するだけでもよい。
【発明の効果】
【００１２】
本発明に係る仏間の扉構造は、平行リンク機構により固定部材を固定して平行移動する扉取付部材に扉を設けた構造としたことにより、奥行きの短い仏間でも採用することができる。そして、固定部材を伸縮構造としたり仏間の側壁に取り付けて固定できるので、仏間の高さを問わずに設置することが可能である。また、平行リンク機構により扉取付部材を安定して平行移動させることができ、扉をガタつくことなくスムーズに作動させることができる。
【００１３】
さらには、各部材を棒材で形成することができるため軽量であり、折り畳んだ状態では極めてコンパクトとなり、輸送や保管の効率が高くなるなど極めて有益な効果を有するものである。
【発明を実施するための最良の形態】
【００１４】
本発明に係る仏間の扉構造は、仏間の側壁に沿って収納する観音開き扉を支持する装置において、平行リンク機構により水平方向に平行移動する２つの部材の一方を仏間内に固定する固定部材とすると共に、該扉を蝶番を介して取り付ける他方を滑動可能に支持した扉取付部材とすることで上記課題を解決した。
【実施例１】
【００１５】
図１は、本発明に係る仏間の扉構造１の一実施例を示すもので、平行クランク機構により仏間Ｂ内に固定した固定部材２を基準にして、平行移動する扉取付部材３に蝶番４を介して扉５を取り付けた構造である。本例では、中心部を可回転に連結した２本の同じ長さの連結桿６を、固定部材２と扉取付部材３の上部を可回転に下部を上下方向に摺動可能に連結することによって、扉取付部材３を平行移動させるようにしている。仏間Ｂの高さに対応させるため、固定部材２及び扉取付部材３を伸縮構造とし、固定部材２の上下には固定部２１、扉取付部材３の上下には車輪３１を設けている。
【００１６】
仏間Ｂを開けるには、図２（ａ）のように扉５をほぼ直角に開く。そして、同図（ｂ）のように押し込むことで、仏間Ｂに設けたレールＢ１に沿って扉取付部材３が平行移動し扉５が収納される。このように、扉５を収納した場合でも固定部材２より奥部に突出しないため、奥行きの短い仏間Ｂでも設置することができる。
【００１７】
固定部材２は伸縮可能とする他、図３（ａ）のように仏間Ｂの側壁に固定する固定部２１を設けることにより、任意の位置に取り付けることもできる。この場合、同図（ｂ）のように固定部２１に扉取付部材３を案内するためのレール２２を設けるようにしてもよい。
【実施例２】
【００１８】
図４は、本発明に係る仏間の扉構造１の他の実施例を示すもので、扉取付部材３を錘７によって固定部材２側に付勢している。本例では、錘７を支持する滑車７１を固定部材２に設けているが、滑車７１は仏間Ｂの側壁に直接取り付けてもよい。錘７により扉取付部材３が常時固定部材２側に引っ張られているため、扉５を吸い込むように収納させることができる。また、錘７を扉取付部材３の上部に連結したことにより、扉取付部材３の片側に取り付けられている扉５が前のめりになりやすくなるのを軽減することができ、安定した作動を継続させることができる。錘７の重さは、扉取付部材３が転動や摺動する抵抗によって異なり、扉５を収納するときに軽く引き込まれる程度でよい。
【図面の簡単な説明】
【００１９】
【図１】本発明に係る仏間の扉構造の一実施例を示す斜視図である。（実施例１）
【図２】本発明に係る仏間の扉構造の作動状態を示すもので、（ａ）は扉を開いた状態の側面図、（ｂ）は扉を収納した状態の側面図である。
【図３】（ａ）（ｂ）はそれぞれ固定部材の他の例を示す側面図である。
【図４】本発明に係る仏間の扉構造の他の実施例を示すもので、扉取付部材を錘で固定部材側に伏石他状態を示す側面図である。
【符号の説明】
【００２０】
Ｂ  仏間
１  仏間の扉構造
２  固定部材
２１  固定部
２２  レール
３  扉取付部材
３１  車輪
４  蝶番
５  扉
６  連結桿
７  錘
７１  滑車
【図１】
2009102827.tif 000003
【図２】
2009102827.tif 000004
【図３】
2009102827.tif 000005
【図４】
2009102827.tif 000006